(57)【要約】      （修正有）【課題】寸法安定性に優れた空気入りタイヤ用ゴム部材の製造方法の提供。【解決手段】ゴム組成物を加硫することにより得られる空気入りタイヤ用ゴム部材の製造方法。該ゴム組成物が、充填材、分散溶媒、およびゴムラテックス溶液を混合して、充填材含有ゴムラテックス溶液を製造する工程（ｉ）及び式（Ｉ）で表される化合物を添加した後に、硫化モリブデンを添加することにより製造される、タイヤ用ゴム部材の製造方法。2019099731.tif 000007【選択図】なし【特許請求の範囲】
【請求項１】
ゴム組成物を加硫することにより得られる空気入りタイヤ用ゴム部材の製造方法であって、
前記ゴム組成物が、
充填材、分散溶媒、およびゴムラテックス溶液を混合して、充填材含有ゴムラテックス溶液を製造する工程（ｉ）、前記充填材含有ゴムラテックス溶液を凝固して、充填材含有ゴム凝固物を製造する工程（ｉｉ）、前記充填材含有ゴム凝固物を脱水・乾燥することによりゴムウエットマスターバッチを製造する工程（ｉｉｉ）、および前記ゴムウエットマスターバッチにゴム配合剤を添加し、乾式混合する工程（ｉｖ）を経由して製造されるものであって、
前記工程（ｉ）中に、下記式（Ｉ）に記載の化合物：
【化１】
2019099731.tif 000006
（式（Ｉ）中、Ｒ１およびＲ２は、水素原子、ならびに炭素数１〜２０のアルキル基、アルケニル基またはアルキニル基を示し、Ｒ１およびＲ２は同一であっても異なっていてもよい。Ｍ＋はナトリウムイオン、カリウムイオンまたはリチウムイオンを示す。）を添加し、
前記式（Ｉ）に記載の化合物を添加した後に、硫化モリブデンを添加することにより製造されることを特徴とする空気入りタイヤ用ゴム部材の製造方法。
【請求項２】
ゴム成分の全量を１００質量部としたとき、前記硫化モリブデンの配合量が０．１〜５．０質量部である請求項１に記載の空気入りタイヤ用ゴム部材の製造方法。
【請求項３】
前記工程（ｉｖ）中に、前記硫化モリブデンを添加するものである請求項１または２に記載の空気入りタイヤ用ゴム部材の製造方法。
【請求項４】
ゴム部材を備える空気入りタイヤの製造方法であって、
前記ゴム部材が請求項１〜３のいずれかの製造方法により製造されることを特徴とする空気入りタイヤの製造方法。
【発明の詳細な説明】
【技術分野】
【０００１】
本発明は、ゴム組成物を加硫することにより得られる空気入りタイヤ用ゴム部材の製造方法および空気入りタイヤの製造方法に関する。
【背景技術】
【０００２】
従来から、ゴム業界においては、カーボンブラックなどの充填材を含有するゴム組成物を製造する際の加工性や充填材の分散性を向上させるために、ゴムウエットマスターバッチを用いることが知られている。これは、充填材と分散溶媒とを予め一定の割合で混合し、機械的な力で充填材を分散溶媒中に分散させた充填材含有スラリー溶液と、ゴムラテックス溶液と、を液相で混合し、その後、酸などの凝固剤を加えて凝固させたものを回収して乾燥するものである。ゴムウエットマスターバッチを用いる場合、充填材とゴムとを乾式混合して得られるゴムドライマスターバッチを用いる場合に比べて、充填材の分散性に優れ、加工性や補強性などのゴム物性に優れる加硫ゴムが得られる。このようなゴム組成物を原料とすることで、例えば転がり抵抗が低減され、屈曲疲労性に優れた空気入りタイヤなどのゴム製品を製造することができる。
【０００３】
しかしながら、ゴム組成物中の分散材の分散性が悪いと、例えば未加硫ゴム組成物を押出成型などした場合、押出直後と冷却後とで寸法変化が発生し、工程性が悪化する場合があった。
【０００４】
下記特許文献１には、少なくともジエンエラストマー、補強用充填材および架橋系をベースとするゴム組成物に、所定量の板状充填材および金属塩を配合する技術が記載されている。
【先行技術文献】
【特許文献】
【０００５】
【特許文献１】特表２０１２−５２２０９２号公報
【発明の概要】
【発明が解決しようとする課題】
【０００６】
しかしながら、上記特許文献１に記載の技術は、加硫ゴムの酸素不透過特性の向上を目的としたものであり、充填材のさらなる分散性向上が図れるわけではない。
【０００７】
本発明は上記実情に鑑みてなされたものであり、その目的は、寸法安定性に優れた空気入りタイヤ用ゴム部材の製造方法および寸法安定性に優れたゴム部材を備える空気入りタイヤの製造方法を提供することにある。
【課題を解決するための手段】
【０００８】
上記目的は、下記の如き本発明により達成できる。即ち本発明は、ゴム組成物を加硫することにより得られる空気入りタイヤ用ゴム部材の製造方法であって、前記ゴム組成物が、充填材、分散溶媒、およびゴムラテックス溶液を混合して、充填材含有ゴムラテックス溶液を製造する工程（ｉ）、前記充填材含有ゴムラテックス溶液を凝固して、充填材含有ゴム凝固物を製造する工程（ｉｉ）、前記充填材含有ゴム凝固物を脱水・乾燥することによりゴムウエットマスターバッチを製造する工程（ｉｉｉ）、および前記ゴムウエットマスターバッチにゴム配合剤を添加し、乾式混合する工程（ｉｖ）を経由して製造されるものであって、前記工程（ｉ）中に、下記式（Ｉ）に記載の化合物：
【化１】
2019099731.tif 000002
（式（Ｉ）中、Ｒ１およびＲ２は、水素原子、ならびに炭素数１〜２０のアルキル基、アルケニル基またはアルキニル基を示し、Ｒ１およびＲ２は同一であっても異なっていてもよい。Ｍ＋はナトリウムイオン、カリウムイオンまたはリチウムイオンを示す。）を添加し、前記式（Ｉ）に記載の化合物を添加した後に、硫化モリブデンを添加することにより製造されることを特徴とする空気入りタイヤ用ゴム部材の製造方法に関する。
【０００９】
上記製造方法によれば、空気入りタイヤ用ゴム部材の原料となるゴム組成物を製造する際、充填材、分散溶媒、およびゴムラテックス溶液を混合して、充填材含有ゴムラテックス溶液を製造する工程（ｉ）において、式（Ｉ）に記載の化合物を添加する。工程（ｉ）では、充填材とゴムラテックス溶液とは液相状態で存在し、この状態で式（Ｉ）に記載の化合物を添加した場合、充填材とゴムラテックスを構成するゴムポリマーとが、式（Ｉ）に記載の化合物を介して効率良く結合を形成する。これにより、充填材含有ゴムラテックス溶液中で充填材の分散性が向上する。ただし、充填材の全量がゴムラテックスを構成するゴムポリマーと結合できるわけではなく、未反応状態で遊離した充填材も少なからず存在し、このような充填材は再凝集するため、このままでは充填材の分散性向上効果は高まらないものと推察できる。
【００１０】
しかしながら上記製造方法によれば、式（Ｉ）に記載の化合物を添加した後に、硫化モリブデンを添加することにより、硫化モリブデンが分散しつつ充填材間に入り込み、充填材の再凝集を抑制できる。これにより、充填材の分散性が向上し、かつ充填材の分散安定性も向上したゴム組成物を製造することができる。原料として使用するゴム組成物中の充填材の分散性および分散安定性に優れるため、例えば該ゴム組成物を押出成型することにより、未加硫のタイヤ用ゴム部材を製造した場合でも、寸法安定性に優れるため、工程性が向上する。
【００１１】
上記空気入りタイヤ用ゴム部材の製造方法において、ゴム成分の全量を１００質量部としたとき、前記硫化モリブデンの配合量が０．１〜５．０質量部であると、未加硫のタイヤ用ゴム部材の寸法安定性に優れることに起因して、工程性がさらに向上する。
【００１２】
上記空気入りタイヤ用ゴム部材の製造方法において、前記工程（ｉｖ）中に、前記硫化モリブデンを添加するものであることが好ましい。式（Ｉ）に記載の化合物を添加した後に、硫化モリブデンを添加するタイミングは適宜選択可能であるが、工程（ｉｉｉ）後に得られたゴムウエットマスターバッチにゴム配合剤を添加し、乾式混合する工程（ｉｖ）において、他のゴム配合剤とともに硫化モリブデンを添加し、乾式混合すると、ゴム組成物中で硫化モリブデンの分散性がさらに高まることに起因して、ゴム組成物中の充填材の分散性および分散安定性を特に向上できる。その結果、未加硫のタイヤ用ゴム部材の寸法安定性に優れることに起因して、工程性がさらに向上する。
【００１３】
また本発明は、ゴム部材を備える空気入りタイヤの製造方法であって、前記ゴム部材が請求項１〜３のいずれかの製造方法により製造されることを特徴とする空気入りタイヤの製造方法に関する。かかる製造方法によれば、寸法安定性に優れたゴム部材を使用するため、空気入りタイヤを製造する際の工程性に優れる。
【発明を実施するための形態】
【００１４】
本発明に係る空気入りタイヤ用ゴム部材の製造方法は、ゴム組成物を加硫する工程を含み、かかるゴム組成物を製造する際、少なくとも充填材、分散溶媒、およびゴムラテックス溶液を原料として使用する。
【００１５】
本発明において、充填材とは、カーボンブラック、シリカ、クレー、タルク、炭酸カルシウム、炭酸マグネシウム、水酸化アルミニウムなど、ゴム工業において通常使用される充填材を意味する。上記充填材の中でも、本発明においてはカーボンブラックを特に好適に使用することができる。
【００１６】
カーボンブラックとしては、例えばＳＡＦ、ＩＳＡＦ、ＨＡＦ、ＦＥＦ、ＧＰＦなど、通常のゴム工業で使用されるカーボンブラックの他、アセチレンブラックやケッチェンブラックなどの導電性カーボンブラックを使用することができる。カーボンブラックは、通常のゴム工業において、そのハンドリング性を考慮して造粒された、造粒カーボンブラックであってもよく、未造粒カーボンブラックであってもよい。ゴム成分の全量を１００質量部としたとき、充填材、特にはカーボンブラックの配合量が１０〜８０質量部であることが好ましく、２０〜６０質量部であることがより好ましい。
【００１７】
分散溶媒としては、特に水を使用することが好ましいが、例えば有機溶媒を含有する水であってもよい。
【００１８】
ゴムラテックス溶液としては、天然ゴムラテックス溶液および合成ゴムラテックス溶液を使用することができる。
【００１９】
天然ゴムラテックス溶液は、植物の代謝作用による天然の生産物であり、特に分散溶媒が水である、天然ゴム／水系のものが好ましい。本発明において使用する天然ゴムラテックス中の天然ゴムの数平均分子量は、２００万以上であることが好ましく、２５０万以上であることがより好ましい。天然ゴムラテックス溶液については濃縮ラテックスやフィールドラテックスといわれる新鮮ラテックスなど区別なく使用できる。合成ゴムラテックス溶液としては、例えばスチレン−ブタジエンゴム、ブタジエンゴム、ニトリルゴム、クロロプレンゴムを乳化重合により製造したものがある。
【００２０】
本発明においては、ゴム組成物を製造する際、充填材、分散溶媒、およびゴムラテックス溶液を混合して、充填材含有ゴムラテックス溶液を製造する工程（ｉ）中に、下記式（Ｉ）に記載の化合物を添加する。
【化２】
2019099731.tif 000003
（式（Ｉ）中、Ｒ１およびＲ２は、水素原子、ならびに炭素数１〜２０のアルキル基、アルケニル基またはアルキニル基を示し、Ｒ１およびＲ２は同一であっても異なっていてもよい。Ｍ＋はナトリウムイオン、カリウムイオンまたはリチウムイオンを示す。）
【００２１】
なお、充填材、特にはカーボンブラックへの親和性を高めるためには、式（Ｉ）中のＲ１およびＲ２が水素原子であり、Ｍ＋がナトリウムイオンである下記式（Ｉ’）に記載の化合物：
【化３】
2019099731.tif 000004
を使用することが特に好ましい。
【００２２】
空気入りタイヤ用ゴム部材中での充填材の分散性を考慮した場合、ゴム成分の全量を１００質量部としたとき、式（Ｉ）に記載の化合物の配合量は０．１〜５．０質量部であることが好ましい。
【００２３】
さらに本発明に係る空気入りタイヤ用ゴム部材の製造方法においては、原料となるゴム組成物を製造する際、工程（ｉ）中に、式（Ｉ）に記載の化合物を添加した後に、硫化モリブデンを添加する。硫化モリブデンはモリブデンの硫化物であり、組成式がＭｏＳ２と表される黒色の固体である。本発明においては、特に粉末化した硫化モリブデンを使用することが好ましい。空気入りタイヤ用ゴム部材中の充填材の分散性および分散安定性を考慮した場合、ゴム成分の全量を１００質量部としたとき、硫化モリブデンの配合量は０．１〜５．０質量部であることが好ましく、０．３〜３．０質量部であることがより好ましい。
【００２４】
以下に、本発明に係る空気入りタイヤ用ゴム部材の製造方法について具体的に説明する。かかる製造方法は、ゴム組成物を加硫する工程を含み、かかるゴム組成物は、充填材、分散溶媒、およびゴムラテックス溶液を混合して、充填材含有ゴムラテックス溶液を製造する工程（ｉ）、充填材含有ゴムラテックス溶液を凝固して、充填材含有ゴム凝固物を製造する工程（ｉｉ）、充填材含有ゴム凝固物を脱水・乾燥することによりゴムウエットマスターバッチを製造する工程（ｉｉｉ）、およびゴムウエットマスターバッチにゴム配合剤を添加し、乾式混合する工程（ｉｖ）を経由して製造されるものであって、工程（ｉ）中に、式（Ｉ）に記載の化合物を添加し、式（Ｉ）に記載の化合物を添加した後に、硫化モリブデンを添加することにより製造されることを特徴とする。
【００２５】
（１）工程（ｉ）
工程（ｉ）では、充填材、分散溶媒、およびゴムラテックス溶液を混合して、充填材含有ゴムラテックス溶液を製造する。特に、本発明においては、前記工程（ｉ）が、前記充填材を前記分散溶媒中に分散させる際に、前記ゴムラテックス溶液の少なくとも一部を添加することにより、ゴムラテックス粒子が付着した前記充填材を含有するスラリー溶液を製造する工程（ｉ−（ａ））、およびゴムラテックス粒子が付着した前記充填材を含有するスラリー溶液と、残りの前記ゴムラテックス溶液とを混合して、ゴムラテックス粒子が付着した前記充填材含有ゴムラテックス溶液を製造する工程（ｉ−（ｂ））を含むことが好ましい。以下に、工程（ｉ−（ａ））および工程（ｉ−（ｂ））について説明する。特に、本実施形態では、充填材としてカーボンブラックを使用した例について説明する。
【００２６】
工程（ｉ−（ａ））
工程（ｉ−（ａ））では、カーボンブラックを分散溶媒中に分散させる際に、ゴムラテックス溶液の少なくとも一部を添加することにより、ゴムラテックス粒子が付着したカーボンブラックを含有するスラリー溶液を製造する。ゴムラテックス溶液は、あらかじめ分散溶媒と混合した後、カーボンブラックを添加し、分散させても良い。また、分散溶媒中にカーボンブラックを添加し、次いで所定の添加速度で、ゴムラテックス溶液を添加しつつ、分散溶媒中でカーボンブラックを分散させても良く、あるいは分散溶媒中にカーボンブラックを添加し、次いで何回かに分けて一定量のゴムラテックス溶液を添加しつつ、分散溶媒中でカーボンブラックを分散させても良い。ゴムラテックス溶液が存在する状態で、分散溶媒中にカーボンブラックを分散させることにより、ゴムラテックス粒子が付着したカーボンブラックを含有するスラリー溶液を製造することができる。工程（ｉ−（ａ））におけるゴムラテックス溶液の添加量としては、使用するゴムラテックス溶液の全量（工程（ｉ−（ａ））および工程（ｉ−（ｂ））で添加する全量）に対して、０．０７５〜１２質量％が例示される。
【００２７】
工程（ｉ−（ａ））では、添加するゴムラテックス溶液の固形分（ゴム）量が、カーボンブラックとの質量比で０．２５〜１５％であることが好ましく、０．５〜６％であることが好ましい。また、添加するゴムラテックス溶液中の固形分（ゴム）濃度が、０．２〜５質量％であることが好ましく、０．２５〜１．５質量％であることがより好ましい。これらの場合、ゴムラテックス粒子をカーボンブラックに確実に付着させつつ、カーボンブラックの分散度合いを高めたゴム組成物を製造することができる。
【００２８】
工程（ｉ−（ａ））において、ゴムラテックス溶液存在下でカーボンブラックおよび分散溶媒を混合する方法としては、高せん断ミキサー、ハイシアーミキサー、ホモミキサー、ボールミル、ビーズミル、高圧ホモジナイザー、超音波ホモジナイザー、コロイドミルなどの一般的な分散機を使用してカーボンブラックを分散させる方法が挙げられる。
【００２９】
上記「高せん断ミキサー」とは、ローターとステーターとを備えるミキサーであって、高速回転が可能なローターと、固定されたステーターと、の間に精密なクリアランスを設けた状態でローターが回転することにより、高せん断作用が働くミキサーを意味する。このような高せん断作用を生み出すためには、ローターとステーターとのクリアランスを０．８ｍｍ以下とし、ローターの周速を５ｍ／ｓ以上とすることが好ましい。このような高せん断ミキサーは、市販品を使用することができ、例えばＳＩＬＶＥＲＳＯＮ社製「ハイシアーミキサー」が挙げられる。
【００３０】
本発明においては、ゴムラテックス溶液存在下でカーボンブラックおよび分散溶媒を混合し、ゴムラテックス粒子が付着したカーボンブラックを含有するスラリー溶液を製造する際、カーボンブラックの分散性向上のために界面活性剤を添加しても良い。界面活性剤としては、ゴム業界において公知の界面活性剤を使用することができ、例えば非イオン性界面活性剤、アニオン系界面活性剤、カチオン系界面活性剤、両イオン系界面活性剤などが挙げられる。また、界面活性剤に代えて、あるいは界面活性剤に加えて、エタノールなどのアルコールを使用しても良い。ただし、界面活性剤を使用した場合、空気入りタイヤ用ゴム部材のゴム物性が低下することが懸念されるため、界面活性剤の配合量は、ゴムラテックス溶液の固形分（ゴム）量１００質量部に対して、２質量部以下であることが好ましく、１質量部以下であることがより好ましく、実質的に界面活性剤を使用しないことが好ましい。
【００３１】
工程（ｉ−（ｂ））
工程（ｉ−（ｂ））では、スラリー溶液と、残りのゴムラテックス溶液とを混合して、ゴムラテックス粒子が付着したカーボンブラック含有ゴムラテックス溶液を製造する。スラリー溶液と、残りのゴムラテックス溶液とを液相で混合する方法は特に限定されるものではなく、スラリー溶液および残りのゴムラテックス溶液とを高せん断ミキサー、ハイシアーミキサー、ホモミキサー、ボールミル、ビーズミル、高圧ホモジナイザー、超音波ホモジナイザー、コロイドミルなどの一般的な分散機を使用して混合する方法が挙げられる。必要に応じて、混合の際に分散機などの混合系全体を加温してもよい。
【００３２】
残りのゴムラテックス溶液は、次工程（ｉｉｉ）での脱水時間・労力を考慮した場合、工程（ｉ−（ａ））で添加したゴムラテックス溶液よりも固形分（ゴム）濃度が高いことが好ましく、具体的には固形分（ゴム）濃度が１０〜６０質量％であることが好ましく、２０〜３０質量％であることがより好ましい。
【００３３】
本発明においては、工程（ｉ）中に式（Ｉ）に記載の化合物を添加するが、工程（ｉ）において先にカーボンブラックを分散溶媒中に分散させてスラリー溶液を製造する場合は、該スラリー溶液中に式（Ｉ）に記載の化合物を添加してもよく、あるいはスラリー溶液とゴムラテックス溶液とを混合する際に添加してもよい。また、工程（ｉ）が工程（ｉ−（ａ））と工程（ｉ−（ｂ））とを含む場合、これらのいずれの段階でも式（Ｉ）に記載の化合物を添加可能である。
【００３４】
（２）工程（ｉｉ）
工程（ｉｉ）では、カーボンブラック含有ゴムラテックス溶液を凝固して、カーボンブラック含有ゴム凝固物を製造する。凝固方法としては、ゴムラテックス粒子が付着したカーボンブラック含有ゴムラテックス溶液中に凝固剤を含有させる方法が例示可能である。この場合、凝固剤としては、ゴムラテックス溶液の凝固用として通常使用されるギ酸、硫酸などの酸や、塩化ナトリウムなどの塩を使用することができる。なお、工程（ｉｉ）の後、工程（ｉｉｉ）の前に、必要に応じて、充填材含有ゴム凝固物が含む水分量を適度に低減する目的で、例えば遠心分離工程や加熱工程などの固液分離工程を設けても良い。
【００３５】
（３）工程（ｉｉｉ）
工程（ｉｉｉ）では、カーボンブラック含有ゴム凝固物を脱水・乾燥することにより、ゴムウエットマスターバッチを製造する。工程（ｉｉｉ）では例えば、単軸押出機を使用し、１００〜２５０℃に加熱しつつ、カーボンブラック含有ゴム凝固物にせん断力を付与しながら脱水・乾燥することが可能である。また、ゴムウエットマスターバッチをさらに乾燥するために、オーブン、真空乾燥機、エアードライヤーなどの各種乾燥装置を使用することができる。
【００３６】
（４）工程（ｉｖ）
工程（ｉｖ）では、ゴムウエットマスターバッチに各種ゴム配合剤を乾式混合することによりゴム組成物を製造する。使用可能なゴム配合剤としては、例えば、硫黄系加硫剤、加硫促進剤、老化防止剤、シリカ、シランカップリング剤、酸化亜鉛、メチレン受容体およびメチレン供与体、ステアリン酸、加硫促進助剤、加硫遅延剤、有機過酸化物、ワックスやオイルなどの軟化剤、加工助剤などの通常ゴム工業で使用される配合剤が挙げられる。
【００３７】
硫黄系加硫剤としての硫黄は通常のゴム用硫黄であればよく、例えば粉末硫黄、沈降硫黄、不溶性硫黄、高分散性硫黄などを用いることができる。
【００３８】
加硫促進剤としては、ゴム加硫用として通常用いられる、スルフェンアミド系加硫促進剤、チウラム系加硫促進剤、チアゾール系加硫促進剤、チオウレア系加硫促進剤、グアニジン系加硫促進剤、ジチオカルバミン酸塩系加硫促進剤などの加硫促進剤を単独、または適宜混合して使用しても良い。
【００３９】
老化防止剤としては、ゴム用として通常用いられる、芳香族アミン系老化防止剤、アミン−ケトン系老化防止剤、モノフェノール系老化防止剤、ビスフェノール系老化防止剤、ポリフェノール系老化防止剤、ジチオカルバミン酸塩系老化防止剤、チオウレア系老化防止剤などの老化防止剤を単独、または適宜混合して使用しても良い。
【００４０】
本発明においては、式（Ｉ）に記載の化合物を添加した後に、硫化モリブデンを添加する。具体的には、工程（ｉ）中において、スラリー溶液中、あるいはスラリー溶液とゴムラテックス溶液との混合溶液中に式（Ｉ）に記載の化合物を添加し、分散させた後、引き続き硫化モリブデンを添加し、分散させてもよく、あるいは工程（ｉｉ）、工程（ｉｉｉ）中に硫化モリブデンを混合してもよい。ただし、本発明においては、工程（ｉｉｉ）後に得られたゴムウエットマスターバッチに前記の各種ゴム配合剤を添加し、乾式混合する工程（ｉｖ）において、他のゴム配合剤とともに硫化モリブデンを添加すると、ゴム組成物中で硫化モリブデンの分散性がさらに高まることに起因して、ゴム組成物中の充填材の分散性および分散安定性を特に向上できるため好ましい。
【００４１】
上記で得られたゴム組成物を未加硫状態で所定の形状に成型し、加硫することにより、例えばタイヤトレッドなどの空気入りタイヤ用ゴム部材、および該ゴム部材を備える空気入りタイヤを製造することができる。本発明においては、未加硫状態で所定の形状に成型されたゴム組成物中で、充填材の分散性に優れるため、成型されたゴムの寸法安定性に優れる。このため、本発明に係る空気入りタイヤの製造方法は、工程性に優れる。
【実施例】
【００４２】
以下に、この発明の実施例を記載してより具体的に説明する。
【００４３】
（使用原料）
ａ）ゴムラテックス溶液；Ｇｏｌｄｅｎ  Ｈｏｐｅ社製、「天然ゴムラテックス溶液（ＮＲフィールドラテックス）」（ＤＲＣ＝３１．２％）
ｂ）カーボンブラック；東海カーボン社製、「シーストＳＯ」
ｃ）式（Ｉ）に記載の化合物（（２Ｚ）−４−［（４−アミノフェニル）アミノ］−４−オキソ−２−ブテン酸ナトリウム）；住友化学社製、「スミリンク２００」
ｄ）酸化亜鉛；三井金属社製、「亜鉛華１号」
ｅ）ステアリン酸；花王社製、「ルナックＳ−２０」
ｆ）ワックス；日本精蝋社製、「ＯＺＯＡＣＥ０３５５」
ｇ）老化防止剤（Ｎ−フェニル−Ｎ’−（１，３−ジメチルブチル）−ｐ−フェニレンジアミン）；モンサント社製、「６ＰＰＤ」
ｈ）硫化モリブデン（ＭｏＳ２）；シグマアルドリッチ社製
ｉ）硫黄；鶴見化学工業社製、「５％油入微粉末硫黄」
ｊ）加硫促進剤；三新化学社製、「サンセラーＮＳ−Ｇ」
ｋ）天然ゴム；「ＲＳＳ＃３」
【００４４】
実施例１〜５
分散溶媒としての水に表１に記載の量のカーボンブラックを添加し、ＰＲＩＭＩＸ社製ロボミックスを使用してカーボンブラックを分散させることにより（該ロボミックスの条件：９０００ｒｐｍ、３０分）、スラリー溶液を製造した。得られたスラリー溶液に、表１に記載の量の式（Ｉ）に記載の化合物および天然ゴムラテックス溶液を添加し、ＳＡＮＹＯ社製家庭用ミキサーＳＭ−Ｌ５６型を使用して混合し（ミキサー条件１１３００ｒｐｍ、３０分）、カーボンブラック含有天然ゴムラテックス溶液を製造した（工程（ｉ））。
【００４５】
工程（ｉ）で製造されたカーボンブラック含有天然ゴムラテックス溶液に、凝固剤としての蟻酸を溶液全体がｐＨ４となるまで添加し、カーボンブラック含有天然ゴム凝固物を製造した（工程（ｉｉ））。得られたカーボンブラック含有天然ゴム凝固物に対し、固液分離工程を実施し、次いでスエヒロＥＰＭ社製スクリュープレスＶ−０１型に投入し、乾燥することでゴムウエットマスターバッチを製造した（工程（ｉｉｉ））。表１中の配合比率は、天然ゴムラテックス溶液中のゴム成分（固形分）の全量を１００質量部としたときの質量部（ｐｈｒ）で示す。
【００４６】
得られたゴムウエットマスターバッチに、硫化モリブデンを含む表１に記載の各種ゴム配合剤を添加し、バンバリーミキサーを用いて乾式混合することにより、ゴム組成物を製造した（工程（ｉｖ））。なお、表１中の配合比率は、天然ゴムラテックス溶液中のゴム成分（固形分）の全量を１００質量部としたときの質量部（ｐｈｒ）で示す。
【００４７】
比較例１〜４
比較例１においては、式（Ｉ）に記載の化合物および硫化モリブデンのいずれも配合しなかったこと以外は、実施例と同様の方法によりゴム組成物を製造した。また、比較例２においては、式（Ｉ）に記載の化合物を配合しなかったこと以外は、実施例と同様の方法によりゴム組成物を製造した。また、比較例３においては、硫化モリブデンを配合しなかったこと以外は、実施例と同様の方法によりゴム組成物を製造した。さらに、比較例４においては、ゴムウエットマスターバッチを製造することに代えて、天然ゴム（ＲＳＳ＃３）とカーボンブラックとを表１に記載の配合比で乾式混合することによりゴムドライマスターバッチを製造し、これに式（Ｉ）に記載の化合物および硫化モリブデンを含む各種ゴム配合剤を添加し、乾式混合することによりゴム組成物を製造した。
【００４８】
得られたゴム組成物をトレッド部材に適した口金が備えられた押出機に供給し、押出成形した板状のトレッド部材を２５００ｍｍの定寸で切断することにより、トレッド部材を製造した。
【００４９】
［ゴム部材の寸法安定性］
押出成型した上記トレッド部材の、押出成型直後のトレッド幅に対する冷却後のトレッド幅の比、押出成型直後のトレッド長さに対する冷却後のトレッド長さの比を測定した。ここで、「冷却」とは、トレッド部材を押出成形した後、常温で８時間放置することを意味する。また、トレッド幅の比およびトレッド長さの比のいずれも、（冷却後／押出成型直後）の指数が１００に近いほど、ゴム部材および空気入りタイヤの寸法安定性に優れることを意味する。結果を表１に示す。
【００５０】
【表１】
2019099731.tif 000005
【００５１】
表１の結果から、実施例１〜５で製造されたトレッド部材では、カーボンブラックの分散性に優れるため、寸法安定性に優れることに起因して、工程性に優れることが分かる。一方、比較例２では式（Ｉ）に記載の化合物が配合されていないため、また比較例３では硫化モリブデンが配合されていないため、いずれもカーボンブラックの分散性が悪化することに起因して、トレッド部材の寸法安定性が悪化することがわかる。また、比較例４では、式（Ｉ）に記載の化合物がカーボンブラックおよび天然ゴムポリマーと十分に反応できず、結果としてカーボンブラックの分散性が悪化することに起因して、トレッド部材の寸法安定性が悪化することがわかる。